(57)【要約】【課題】口径寸法が様々に異なる音響装置同士を組み合わせても、音像定位が良好に維持され、なおかつ音圧周波数特性の平坦度が高く高音質の積層型複合音響装置を提供すること。【解決手段】再生周波数領域の中心値が異なる複数個の音響装置を有し、音波放射方向が同方向となるように複数個の音響装置が積層して筐体内に載置されて成る積層型複合音響装置において、各音響装置が、空間領域を介して相互に離間して配置され、筐体が、音波放射方向に対して、後段に配した音響装置から出力される音波を空間領域を介して放射するための放音孔を有する構成とした。【選択図】  図１
2006060625.tif 000002
【特許請求の範囲】
【請求項１】
再生周波数領域の中心値が異なる複数個の音響装置を有し、音波放射方向が同方向となるように複数個の音響装置が積層して筐体内に載置されて成る積層型複合音響装置において、
前記各音響装置は、空間領域を介して相互に離間して配置され、
前記筐体は、前記音波放射方向に対して、後段に配した前記音響装置から出力される音波を前記空間領域を介して放射するための放音孔を有することを特徴とする積層型複合音響装置。
【請求項２】
前記空間領域は、前記放音孔を設けた前記筐体内で略密閉状態で、かつ前記空間領域が有する共鳴周波数が、その後方部に配置された音響装置の再生周波数領域の中心値と略等しくなるように構成されていることを特徴とする請求項１に記載の積層型複合音響装置。
【請求項３】
前記音波放射方向に対して、後段に配した前記音響装置よりも前段に配した前記音響装置の再生周波数領域の中心値が小さくなるようにしたことを特徴とする請求項１または２に記載の積層型複合音響装置。
【請求項４】
前記音波放射方向の最前列の音響装置は、複数個の音響装置が並列に列設されて成ることを特徴とする請求項１から３のいずれか一項に記載の積層型複合音響装置。
【請求項５】
最前列に列設された前記複数個の音響装置は、これら複数個の音響装置の音波放射中心軸が、後段に配置された音響装置の放射中心軸に向けて集束するように配設されて成ることを特徴とする請求項４に記載の積層型複合音響装置。
【発明の詳細な説明】
【技術分野】
【０００１】
本発明は、再生周波数領域の中心値が異なる複数個の音響装置を組み合わせた積層型複合音響装置に関するものであり、更に詳しくは、再生周波数特性及び音像定位の向上を目的とし、音波放射方向が同方向となるように複数個の音響装置が積層して筐体内に載置された積層型複合音響装置に関するものである。
【背景技術】
【０００２】
近年では、音響技術の著しい向上に伴い、音響再生装置の性能や品質に対する要求は益々強まっている。こうした背景の下、複数個の音響装置を積層して組み合わせた積層型複合音響装置においては、音響特性や音像定位の良好さ故に、その重要度が高まりつつある。
【０００３】
以下、従来の積層型複合音響装置（例えば特許文献１を参照）について、図３を用いて説明する。
図３に示すように、この積層型複合音響装置３２は、低音域の再生周波数を有する大口径音響装置２４と高音域の再生周波数を有する小口径音響装置２５とが、同軸上に積層した形態で配置されている。ここで、それぞれの音響装置２４、２５は、磁石１ｅ、１ｆ、可動コイル２ｅ、２ｆ、内部ヨーク３ｅ、３ｆ、外部ヨーク４ｅ、４ｆなどから成る磁気回路部と、振動板５ｅ、５ｆ、懸架端部６ｅ、６ｆ、外枠７ｅ、７ｆから構成される。
【０００４】
この積層型複合音響装置３２に電気音響信号が印加されると、印加された信号に応じて音響装置２４、２５が同時に駆動され、音場振動が誘起されることにより音響効果が得られる。そして、この積層型複合音響装置３２は、二つの音響装置２４，２５が同軸上に積層配置されているので、それぞれの音響装置２４、２５から生じる音波が同方向へ放射され、低音域と高音域の音源が同一箇所として認識される。そのため、この積層型複合音響装置３２は良好な音像定位を実現することができるという利点を有する。
【０００５】
【特許文献１】特公昭５９−１２２３７号公報（第３頁、図１）
【発明の開示】
【発明が解決しようとする課題】
【０００６】
しかしながら、上述した従来の積層型複合音響装置３２では、音波放射方向の後方部に位置した音響装置２４からの放射音波を、前方部に位置した音響装置２５に可能な限り妨げられないように、各音響装置を構成する部材、特に振動板５ｅの配置形態を考慮して設計しなければならない。
【０００７】
そのため、積層型複合音響装置３２における音響装置２５に対する音響装置２４の振動板５ｅの口径比を大きくする必要が生ずる。通常、音響装置の振動板は、音響装置そのものの口径と大略等しい寸法であるから、このことは、同様にして音響装置２５に対する音響装置２４そのものの口径比も大きくしなくてはならなくなる。
【０００８】
従って、この従来の積層型複合音響装置３２では、上述したように小口径音響装置２５と大口径音響装置２４という限定された大小比の音響装置同士による組み合わせしか実現することができず、例えば口径比が近い中口径音響装置と大口径音響装置、或いは小口径音響装置と中口径音響装置というような組み合わせは実現が困難であった。
【課題を解決するための手段】
【０００９】
上記目的を達成するために、本発明の音響装置は、下記記載の構成を採用する。
【００１０】
本発明による積層型複合音響装置は、再生周波数領域の中心値が異なる複数個の音響装置を有し、音波放射方向が同方向となるように複数個の音響装置が積層して筐体に載置されて成る積層型複合音響装置において、各音響装置が空間領域を介して相互に離間して配置され、筐体が音波放射方向に対して、後段に配した音響装置から出力される音波を空間領域を介して放射するための放音孔を有する構成としたことを特徴とする。
【００１１】
また、本発明による積層型複合音響装置は、前述した空間領域を、放音孔を設けた筐体で略密閉状態で、かつこの空間領域が有する共鳴周波数を、その後方部に配置された音響装置の再生周波数領域の中心値と略等しくなるようにしたことを特徴とする。
【００１２】
さらに、本発明による積層型複合音響装置は、音波放射方向に対して、後段に配した音響装置よりも前段に配した音響装置の再生周波数領域の中心値が小さくなるようにしたことを特徴とする。
【００１３】
またさらに、本発明による積層型複合音響装置は、音波放射方向の最前列の音響装置を複数個とし、この複数個の音響装置が並列に列設する構成としたことを特徴とする。
【００１４】
またさらに、本発明による積層型複合音響装置は、最前列部分に列設された複数個の音響装置が、これら複数個の音響装置の音波放射中心軸が、後段に配置された音響装置の放射中心軸に向けて集束するように配設されて成ることを特徴とする。
【発明の効果】
【００１５】
本発明による積層型複合音響装置では、各音響装置が空間領域を介して相互に離間して配置され、この空間領域が後段の音響装置からの音波を放射する放音孔以外略密閉状態となっており、なおかつこの空間領域の共鳴周波数が後段の音響装置が有する共振周波数と略等しい値を有するという構成により、最前列に配した音響装置の口径寸法に関わらず、後段の音響装置からの音響効果をそのまま良好に維持できるという利点を有する。
【００１６】
そのため、一つの積層型複合音響装置で口径寸法が様々に異なる複数個の音響装置同士の多様な組み合わせが可能となり、特に口径比が近い音響装置同士の組み合わせでは、再生周波数帯域が重複することで音圧周波数特性の平坦度が向上し、良好な音響特性を実現することができるようになる。
【発明を実施するための最良の形態】
【００１７】
図１は、積層型複合音響装置の構成例を示している。
本発明の積層型複合音響装置３０は、再生周波数領域の中心値が異なる複数個の音響装置２０，２１を有し、音波放射方向が同方向となるように複数個の音響装置２０，２１を積層して筐体１１内に載置し、各音響装置を空間領域８を介して相互に離間して配置し、さらにこの筐体１１が、音波放射方向に対して、後段に配した音響装置２０から出力される音波を空間領域８を介して放射するための放音孔９，１０を有するように構成されている。また、この空間領域８は、音響装置２０の再生周波数領域の中心値と略等しい共鳴周波数を有するように構成されている。
【００１８】
上記のような構成とすることにより、音像定位を良好に維持したまま、口径寸法が様々に異なる音響装置２０，２１同士を多様に組み合わせ、更にそのことによって音圧周波数特性の平坦性がより優れた積層型複合音響装置３０を提供することができるようになる。その具体的な構成及び作用については図面を参酌しながら説明する。尚、本発明の構成における従来の構成と同部材については背景技術と同符号を用いている。
【実施例１】
【００１９】
まず、本発明の第一の実施例における積層型複合音響装置３０の構成例について説明する。
図１に示すように、積層型複合音響装置３０は、磁石１ａ、可動コイル２ａ、内部ヨーク３ａ、外部ヨーク４ａなどを有する磁気回路部と、振動板５ａ、懸架端部６ａ、外枠７ａより構成された大口径の電磁型音響装置２０、及び同様の構成を有する電磁型音響装置２１を音波放射方向が同方向となるように積層して配置した形態は従来の構成と同様であるが、それぞれの音響装置２０と２１が、所定の空間領域８を介して相互に離間して配置されている点が従来の構成とは異なっている。
【００２０】
更に、この空間領域８は、微小な放音孔９，１０を設けた筐体１１で囲まれた略密閉状態となっており、その空間体積と空間形状は、その後方部に配置された音響装置２０の再生周波数領域の中心値と略等しい共鳴周波数を有するように設計されている。
【００２１】
次に、本発明による積層型複合音響装置３０の機能及び作用について説明する。
この積層型複合音響装置３０に電気音響信号が印加されると、背景技術で述べたのと同様に、印加された信号に応じて音響装置２０，２１が同時に駆動され、音場振動が誘起されることにより音響効果が得られる。そしてこの積層型複合音響装置３０では、上述したような構成によって、空間領域８が音響装置２０に対する共鳴空間として機能する。
【００２２】
この空間領域８が音響装置２０に対する共鳴空間としての機能を有することで、電気音響信号の印加により誘起された音響装置２０の音場振動は、この空間領域８を経る過程において共鳴効果に伴った増幅作用を受けることができるようになる。そのため、図１に示す様に、例え音響装置２０の前方に遮蔽物が介在して音波の放射が妨げられる構成であっても、この空間領域８で増幅された音場振動は、筐体１１の微小な放音孔９，１０から、高い音圧の音として放射され、音響装置として充分な効果を発揮することができるのである。
【００２３】
また、この空間領域８を経て放音孔９，１０から放射される音響装置２０の音は、共鳴効果による音圧周波数特性の平坦化によって、共鳴空間を経ないで放射される場合と比較すると、より良好な音響特性を実現することができるようになる。特に、この傾向は低音領域で著しく現れるため、後方部に配置する音響装置２０の口径を大きくして、再生周波数領域の中心値を低くした音響装置を採用した場合に、より高い共鳴効果を得ることができ、本発明の効果が顕著となる。
【００２４】
また更に、共鳴空間となる空間領域８は、密閉度が高いままでもその共鳴効果を充分に発揮し得るため、筐体１１に設ける放音孔９，１０は、音波放射に必要最低限の大きさを有していれば良く、例えば音響装置２１と並列に設けられた放音孔９も微小な大きさ十分に機能する。従って、最前列に配した音響装置２１の口径を、後段に配した音響装置２０の口径に近い径としたとしても、従来の構成のように、音響装置２０からの音響効果を損ねることが無い。
【００２５】
そのため、本発明の積層型複合音響装置３０によれば、従来の構成のように、互いの口径比が大きい（即ち互いに遠い径を持つ）音響装置同士を組み合わせることができるだけでなく、互いの口径比が小さい（即ち互いに近い径を持つ）音響装置２０，２１を組み合わせるということが可能となる。
【００２６】
つまり、従来の構成においては、互いの口径比が大きい小口径音響装置２５と大口径音響装置２４というように、音響装置同士の組み合わせの形態が限定されていたが、本発明
の積層型複合音響装置３０においては、上記の組み合わせだけでなく、中口径音響装置と大口径音響装置、若しくは小口径音響装置と中口径音響装置というように、口径寸法が様々に異なる音響装置を任意に組み合わせることができる様になる。
【００２７】
また、一般に積層型複合音響装置における各音響装置２０，２１の振動板５ａ，５ｂの口径が大きくなればなる程、各音響装置２０，２１の再生周波数領域の中心値が小さくなるため、必然的に振動板５の口径比が小さい２つの音響装置で構成しようとすると、それぞれの音響装置が有する再生周波数領域の中心値は相互に近い値となってしまう。
【００２８】
そのため、上記のように、互いの口径比が小さい音響装置２０，２１を組み合わせた形態の場合では、積層型複合音響装置３０へ電気音響信号を印加した時に、各音響装置２０，２１から放射される再生周波数帯域が重複し易くなり、広い範囲に渡って互いの音圧を補うという効果が得られる。その結果、音圧周波数特性の平坦度が向上し、良好な音響特性を得ることができるようになるという従来にはなかった顕著な作用効果を得ることができるのである。
【００２９】
尚、ここでは２個の電磁型の音響装置２０，２１を用いた構成例を示したが、電磁型以外の駆動原理を有する音響装置として、例えば圧電型や静電型の音響装置を取り混ぜて構成した積層型複合音響装置としても構わない。また、３個以上の音響装置を用いて３層以上で構成した積層型複合音響装置としても勿論構わない。そして、このように再生周波数領域の中心値が異なる３個以上の音響装置を用いた積層型複合音響装置の場合、より広範な周波数領域において音圧周波数特性の平坦度を向上させることが可能となる。
【００３０】
また更に、図１では、最前列の音響装置の口径が後段の音響装置の口径よりも小さい形態の積層型複合音響装置の実施例を示したが、この口径の大小が逆であっても、本願発明による効果は達成される。
【実施例２】
【００３１】
図２は本発明による第二の実施例を示す断面図であり、音波放射方向の最前列に1個の音響装置を配置していた第一の実施例の構成に代えて、その最前列に小口径の音響装置２２及び中口径の音響装置２３の２個を略並列に列設した構成の積層型複合音響装置３１の構成例を示したものである。
【００３２】
そして、この積層型複合音響装置３１は、音響装置２２，２３の音像定位方向を示す放射中心軸１２，１３が、後段に配置された音響装置２０の放射中心軸１４に向けて集束する方向へ、各音響装置２２、２３が傾斜して配設している。尚、本図面では、音響装置２３が後段に配した音響装置２０よりも振動板５の口径を小さくした以外は同様の構成としており、それに並列された小口径の音響装置２２が、圧電材１５、弾性板１６、弾性接着剤１７、振動板５ｄ、懸架端部６ｄなどから成る圧電型音響装置となっている例を示している。
【００３３】
このように、最前列に２個の音響装置２２，２３を略並列に配設し、それぞれの放射中心軸１２，１３を後方部の音響装置２０の放射中心軸１４へ向けて集束する様に傾斜させた形態とすることで、積層型複合音響装置３１を駆動した際に、音響装置２２、２３から放射された音波は、放音孔を経て放射される音響装置２０の音波と重なり合うように集束することになる。
【００３４】
その結果、図中における音響装置２０の放射中心軸１４の上方向、即ち積層型複合音響装置３１の正面軸上で、３個の音響装置２０，２２，２３の音波が重なり合う音場領域が形成される。この領域では、それぞれの音響装置における異なった再生周波数領域が互い
に補い合うように重なるため、より広い周波数領域に渡って音圧周波数特性の平坦化を実現することができ、音質を向上させることができる。
【００３５】
また、３個の音響装置２０，２２，２３を全て積層させた３層構成の積層型複合音響装置ほどではないにしろ、音響装置２０と音響装置２２，２３とが２段に積層されている構成によって、それに近い音像定位を維持することができる。
【００３６】
また更に、３個の音響装置２０，２２，２３を全て積層させた３層構成と比較すると、２層構成であるために、装置をより薄型にできるだけでなく、装置構造の単純化や、装置の製造工程における簡素化にも効果がある。
【図面の簡単な説明】
【００３７】
【図１】本発明における積層型複合音響装置の断面図である。（実施例１）
【図２】本発明における積層型複合音響装置の断面図である。（実施例２）
【図３】背景技術における積層型複合音響装置の断面図である。
【符号の説明】
【００３８】
１  磁石
２  可動コイル
３  内部ヨーク
４  外部ヨーク
５  振動板
６  懸架端部
７  外枠
８  空間領域
９、１０  放音孔
１１  筐体
１２〜１４  放射中心軸
１５  圧電材
１６  弾性板
１７  弾性接着剤
１８  放音孔
【図１】
2006060625.tif 000003
【図２】
2006060625.tif 000004
【図３】
2006060625.tif 000005